(57)【特許請求の範囲】
【請求項１】
釘が植設される透明板と、絵柄が描かれ前記透明板の背後に配される装飾シートと、前記装飾シートの背後に配される背面板と、で構成される遊技盤と、
前記遊技盤を、前記透明板、前記装飾シート、及び前記背面板を相互に密着させる締め付け状態と、前記遊技盤を、前記透明板、前記装飾シート、及び前記背面板を相互に分離して、前記装飾シートを前記透明板と前記背面板との間に入出可能な緩め状態と、に可変の締緩手段と、を備えた弾球遊技機において、
前記装飾シートは、前記遊技盤を貫通して形成される貫通穴の縁を端とする分割線にて複数部分に分割され、
前記背面板は、弾性板と、前記弾性板より剛性の高い裏板と、を接着させて構成されると共に、前記締め付け状態においては、前記弾性板側の面が前記装飾シートに対向して配されることを特徴とする弾球遊技機。
【発明の詳細な説明】
【０００１】
【発明の属する技術分野】
本発明は、弾球遊技機の技術分野に属し、詳しくは遊技盤に関する。
【０００２】
【従来の技術】
パチンコ機等の遊技盤はベニヤ板を主体とし、絵柄が描かれた装飾紙が背面に積層されたセルロイドシート（いわゆるセル）をベニヤ板の表面に貼り付けていた。この遊技盤には入賞装置や表示装置が取り付けられ釘が打ち付けられていた。また、アウト口、入賞装置や表示装置を取り付けるための取付穴等の貫通穴が設けられていた。
【０００３】
ところで、弾球遊技機には、釘、入賞装置、表示装置等の遊技盤に取り付けられる部品の配置が同じでセルのデザインとソフトウェア（確率、出球の設定、表示図柄等）が相違するだけのシリーズ機とよばれるものがある。
また、遊技店に設置されている弾球遊技機の入れ替えに当たっては、弾球遊技機全体を交換するのではなくて、遊技盤とソフトウェア（制御装置）だけを交換すること（面換え）が広く行われている。
【０００４】
【発明が解決しようとする課題】
しかしながら、セルがベニヤ板に接着されていて分離できないため、上述のシリーズ機にあっても面換えにおいては遊技盤全体を交換しなければならなかった。
【０００５】
交換された古い遊技盤は装着されている部品共々廃棄処分せざるを得ず、資源の利用効率の点で問題となっていた。また、遊技盤をそっくり交換するので遊技店の設備投資も高額であったし、新品の遊技盤及び取り外した遊技盤を輸送しなければならないので、輸送コストも低額ではなかった。本発明は、面換えに伴うリサイクル効率とコストの改善を目的としている。
【０００６】
【課題を解決するための手段および発明の効果】
上記課題を解決するための請求項１記載の弾球遊技機は、釘が植設される透明板と、絵柄が描かれ前記透明板の背後に配される装飾シートと、前記装飾シートの背後に配される背面板と、で構成される遊技盤と、
前記遊技盤を、前記透明板、前記装飾シート、及び前記背面板を相互に密着させる締め付け状態と、前記遊技盤を、前記透明板、前記装飾シート、及び前記背面板を相互に分離して、前記装飾シートを前記透明板と前記背面板との間に入出可能な緩め状態と、に可変の締緩手段と、を備えた弾球遊技機において、
前記装飾シートは、前記遊技盤を貫通して形成される貫通穴の縁を端とする分割線にて複数部分に分割され、
前記背面板は、弾性板と、前記弾性板より剛性の高い裏板と、を接着させて構成されると共に、前記締め付け状態においては、前記弾性板側の面が前記装飾シートに対向して配されることを特徴とするので、面換えに当たっては締緩手段を緩め状態にして装飾シートのみを交換できる。
【０００７】
よって、透明板及び弾性板と裏板とを接着させて構成される背面板はそのまま再使用できるし、釘、入賞装置、表示装置等の交換も不要となる。これにより、リサイクル効率は格段に向上する。また、部品コストは装飾シートの分だけで済み、輸送も新旧の装飾シートだけでよいからコストも格段に低減される。
【０００８】
しかも、請求項１記載の弾球遊技機では、前記装飾シートは、前記遊技盤を貫通して形成される貫通穴の縁を端とする分割線にて複数部分に分割されているので、貫通穴を使用して取り付けられている部品（例えば入賞装置や表示装置）を取り外さずに装飾シートを交換できる。よって、作業効率が良好になる。
【０００９】
【発明の実施の形態】
次に、本発明の実施例により発明の実施の形態を説明する。
【００１０】
【実施例】
図１に示すように、弾球遊技機としてのパチンコ機１は本体枠１ａと本体枠１ａの前面側に一対のヒンジ１ｂにて開閉可能に蝶着された中枠２を備えている。中枠２には上部枠体２ａ及び皿扉２ｂが図示しない蝶番により取り付けられており、上部枠体２ａ及び皿扉２ｂは中枠２に対して開閉可能である。
【００１１】
上部枠体２ａはアーチ状の窓２ｃを有しており、窓２ｃの背面側にガラス２ｄを保持している。また、上部枠体２ａの背面側には、中枠２に保持された遊技盤１０が配されており、窓２ｃを透して遊技盤１０が見える。上部枠体２ａの上部及びアーチ頂部は有色で透光性のプラスチックで構成され、その内部には賞球表示ランプ、ストップ表示ランプ等のランプ類が配されている。なお、賞球表示ランプは賞球の払出時や貸球時に所定の態様で点灯される。
【００１２】
皿扉２ｂの前面側には上皿２ｅが取り付けられ、パチンコ機１の本体側から上皿放出口２ｆを経て流出する遊技球を上皿２ｅに貯留することができる。また、スピーカ２ｇが取り付けられており、このスピーカから効果音等を出すことができる。
【００１３】
上皿２ｅの下方には中枠２に取り付けられた下皿２ｈが配されている。この下皿２ｈにはパチンコ機１の内部に通ずる下皿放出口２ｊが開口しており、下皿放出口２ｊを経て流出する遊技球を下皿２ｈに貯留することができる。なお、上皿２ｅには上皿球抜きボタン２ｋが設けられており、この上皿球抜きボタン２ｋを押せば上皿２ｅ内の遊技球を下皿２ｈに排出することができる。
【００１４】
中枠２には下皿２ｈに隣接して発射装置を操作するための発射ハンドル２ｍが取り付けられている。
図１及び図２に示すように、遊技盤１０には外ガイドレール１０ａ及び内ガイドレール１０ｂが円弧状に取り付けられ、その外ガイドレール１０ａ及び内ガイドレール１０ｂで囲まれる遊技領域１０ｃには、液晶表示装置１１、チューリップ式の可変入賞装置１２、大入賞口１３ａ並びに２つの普通入賞口１３ｂを含む大入賞装置１３、大入賞装置１３の左右上方に配されている普通入賞口１４ａ、１４ｂ、その上方に配されている普通入賞口１５ａ、１５ｂ、可変入賞装置１２の左右に配されているゲート１６ａ、１６ｂ、普通入賞口１５ａ、１５ｂと内ガイドレール１０ｂの間に配されているサイドランプ１７ａ、１７ｂ、液晶表示装置１１の斜め上方に配されているランプ風車１８ａ、１８ｂ、アウト口１９、多数の釘２０等が取り付けられている。
【００１５】
図３に示すように、遊技盤１０には、液晶表示装置１１、可変入賞装置１２、大入賞装置１３、普通入賞口１４ａ、１４ｂ、普通入賞口１５ａ、１５ｂ、普通入賞口１５ａ、１５ｂ、サイドランプ１７ａ、１７ｂ及びランプ風車１８ａ、１８ｂにそれぞれの装置を装着する貫通穴２５、２６、２７、５２、５３、５４、５５、５６、５７、５８、５９とアウト口１９が貫通形成されている。
【００１６】
図４は遊技盤１０の中心線に沿った断面構造を簡略化して示したものである。この図に示すように、遊技盤１０はガイドレール１０ａ、１０ｂ、釘２０が取り付けられている透明板２１、透明板２１の背後に配された装飾シート２２、装飾シート２２の背後に配された弾性板２３、弾性板２３の背後に配された裏板２４の４層で構成されている。透明板２１は透明樹脂（例えばポリメチルメタクリレート、ポリカーボネート等）の成形品である。装飾シート２２は樹脂シートであり片面には装飾用の絵柄が印刷されている。装飾シートは樹脂シートの代わりに紙質シートとしてもよい。弾性板２３は例えば多孔質ウレタン、ゴム板、スポンジ板等である。裏板２４は剛性の高い板体であり、例えば樹脂や合板が使用される。なお、本実施例の場合、弾性板２３と裏板２４とは接着されている。また、本実施例の場合、透明板２１と装飾シート２２とは接着されていないが、接着力の弱い接着剤（簡単に引き剥がしできる接着剤）にて透明板と装飾シートとを（仮）固定するために少なくともその一部を接着しておいてもよい。
【００１７】
透明板２１、装飾シート２２、弾性板２３及び裏板２４には、穴２５ａ〜２５ｄ、２６ａ〜２６ｄ、２７ａ〜２７ｄ、１９ａ〜１９ｄ等がそれぞれの組で同軸、同寸法で設けられている。透明板２１、装飾シート２２、弾性板２３及び裏板２４を相互に密接させた際には、穴２５ａ〜２５ｄにて貫通穴２５が、穴２６ａ〜２６ｄにて貫通穴２６が、穴２７ａ〜２７ｄにて貫通穴２７が、穴１９ａ〜１９ｄにてアウト口１９が形成される。また、図３に示す貫通穴５２、５３、５４、５５、５６、５７、５８、５９も同様に形成される。
【００１８】
貫通穴２５には液晶表示装置１１が装着される。液晶表示装置１１の背部にはこれを制御するための表示制御装置２８が取り付けられている。貫通穴２６には可変入賞装置１２が、貫通穴２７には大入賞装置１３がそれぞれ取り付けられ、ここには示されない貫通穴５２、５３、５４、５５、５６、５７、５８、５９も、それぞれ普通入賞口１４ａ、１４ｂ、普通入賞口１５ａ、１５ｂ、サイドランプ１７ａ、１７ｂ、ランプ風車１８ａ、１８ｂが取り付けられる。
【００１９】
なお、図５に示すように、装飾シート２２には絵柄が印刷されており、貫通穴２５、２６、２７、５２、５３、５４、５５、５６、５７、５８、５９を形成するための穴２５ｂ、２６ｂ、２７ｂ、５２ｂ、５３ｂ、５４ｂ、５５ｂ、５６ｂ、５７ｂ、５８ｂ、５９ｂ及びアウト口１９を形成するための穴１９ｂが設けられている。ただし、装飾シート２２は、外周から穴１９ｂに達する分割線６１ａ、穴１９ｂから穴２７ｂに達する分割線６１ｂ、穴２７ｂから穴２６ｂに達する分割線６１ｃ、穴２６ｂから穴２５ｂに達する分割線６１ｄによる中央分割線６１、外周から穴５８ｂに達する分割線６２ａと穴５８ｂから穴２５ｂに達する分割線６２ｂとによる左分割線６２及び外周から穴５９ｂに達する分割線６３ａと穴５９ｂから穴２５ｂに達する分割線６３ｂとによる右分割線６３により、上部分２２ａ、左下部分２２ｂ及び右下部分２２ｃに３分割されている。本実施例では図５に示すように分割しているが分割線は絵柄との関係で極力目立たない位置に設けることが望ましい。例えば、絵柄に空白部があればその部分に分割線を設けるとよい。また、遊技盤から容易に取り外しができない部材若しくは接続してある配線の取り外しが容易でない遊技盤に装着した部材を取り付ける穴を端とする分割線を設けてもよい。この場合、分割数は３とは限らず、より多くの数に分割することとしてもよい。
【００２０】
図６及び図７に示すように、裏板２４には受圧板３１が取り付けられており、その先端部を貫通する軸３２により留具３３が連結されている。留具３３の突起部にはリング３４が取り付けられている。リング３４の先端部は透明板２１に固定されている受止具３５に係止されており、留具３３は固定ボルト３６によって受圧板３１に固定されている。この状態では、リング３４を介して留具３３と受止具３５との間に引っ張り応力が作用しており、この応力にて透明板２１、装飾シート２２、弾性板２３及び裏板２４を相互に密着させている。
【００２１】
固定ボルト３６を抜けば留具３３は軸３２を中心にして揺動可能となり、その揺動によりリング３４の先端部を遊技盤１０の側面に沿って昇降変位させる。リング３４の先端部を下降させればリング３４と受止具３５との係止を解除でき、透明板２１と装飾シート２２、装飾シート２２と弾性板２３及び裏板２４とを互いに分離できる。
【００２２】
図８は中枠２に遊技盤１０を取り付けた状態を示している。図示するように、遊技盤１０は盤クリップ３８によって中枠２に固定されている。図９に示すように、中枠２にはクリップ軸３９が立設されている。盤クリップ３８はクリップ軸３９にて回動可能に軸支され、また押さえバネ４０にて中枠１０に押しつける方向に付勢されている。盤クリップ３８は操作柄３８ａと作動柄３８ｂを備えており、操作柄３８ａに手をかけて、作動柄３８ｂにて遊技盤１０を中枠２に押しつけ保持する位置（実線で示す位置）と作動柄３８ｂが遊技盤１０から外れる位置（一点鎖線で示す位置）とに回動変位させることができる。通常は実線で示す位置とされていて、遊技盤１０は中枠２に取り付けられているが、例えば面換え等で遊技盤１０を取り外したり装着する際には一点鎖線の位置にされる。
【００２３】
このパチンコ機１は上述のとおりの構成であるので、遊技盤１０の脱着は盤クリップ３８の操作だけで簡単に行える。
なお、本実施例の遊技盤１０厚さＴは従来の遊技盤に比べて厚くなっているので、中枠２の遊技盤１０を設置する個所の厚みを遊技盤１０の厚さＴに合わせる必要がある。
【００２４】
そして、面換えの際には、中枠２から取り外した遊技盤１０の固定ボルト３６を取り外し、留具３３を揺動させてリング３４と受止具３５との係止を解除し、装飾シート２２を透明板２１と弾性板２３の間から抜き去り、その透明板２１と弾性板２３の間に新しい装飾シート２２を挿入してから留具３３を揺動復帰させてリング３４と受止具３５とを係止し、固定ボルト３６で留具３３を固定すれば、遊技盤１０は新しい装飾シート２２を備えるものになる。
【００２５】
装飾シート２２には、図５に示すように分割線６１、６２、６３にて分割されているので、その着脱に当たって液晶表示装置１１、可変入賞装置１２、大入賞装置１３を取り外す必要はない。また、普通入賞口１４ａ、１４ｂ、普通入賞口１５ａ、１５ｂ、サイドランプ１７ａ、１７ｂ、ランプ風車１８ａ、１８ｂは透明板２１と共に装飾シート２２から容易に離脱させることができるので、装飾シート２２の交換を阻害しない。なお、分割線の位置や数は上記のものに限るものではなく、遊技盤から容易に取り外すことができない部品（部材）とか、容易に取り外すことができない配線を有する部材（部品）を装着する貫通穴を端とする分割線を設けることとしてもよい。
【００２６】
この遊技盤１０を中枠２に取付け、ソフトウェア（メイン制御装置）の交換等を行えば面換えの完了である。
以上のように、遊技盤１０は、釘２０が植設される透明板２１と、絵柄が描かれ透明板２１の背後に配される装飾シート２２と、装飾シート２２の背後に配される弾性板２３と、弾性板２３の背後に配される裏板２４との４層で構成し、固定ボルト３６と留具３３の操作によりこれら４層を相互に密着させる締め付け状態とこれら４層を相互に分離可能な緩め状態とにできるので、面換えに当たって装飾シート２２のみを交換できる。
【００２７】
よって、装飾シート２２を除く３層はそのまま再使用できるし、釘２０、可変入賞装置１２をはじめとする入賞装置、液晶表示装置１１等の交換も不要となる。これにより、リサイクル効率は格段に向上する。また、部品コストは装飾シート２２の分だけで済み、輸送も新旧の装飾シート２２だけでよいからコストも格段に低減される。
【００２８】
特に、装飾シート２２は、分割線６１、６２、６３にて複数部分に分割されているので、液晶表示装置１１、可変入賞装置１２、大入賞装置１３を取り外さずに装飾シート２２を交換できる。よって、作業効率が良好になる。
また、液晶表示装置１１、可変入賞装置１２、大入賞装置１３を取り外す必要がないので、これらにつながる配線や表示制御装置２８につながる配線を一旦外してから再接続する必要がない。したがって、この配線作業に要していた工数も不要になる。
【００２９】
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例のパチンコ機の正面図。
【図２】  実施例の遊技盤の正面図。
【図３】  実施例の遊技盤の貫通穴の配置の説明図。
【図４】  実施例の遊技盤の断面構造の説明図。
【図５】  実施例の装飾シートの正面図。
【図６】  実施例の遊技盤の締緩手段の説明図。
【図７】  実施例の遊技盤の締緩手段部分の背面図。
【図８】  実施例の遊技盤を取り付けた中枠の背面図。
【図９】  実施例の遊技盤を中枠に取り付けるための盤クリップの断面図。
【符号の説明】
１      パチンコ機（弾球遊技機）
１０    遊技盤
１９    アウト口（貫通穴）
２０    釘
２１    透明板
２２    装飾シート
２３    弾性板
２４    裏板
２５、２６、２７、５２〜５９    貫通穴
３１    受圧板（締緩手段）
３２    軸（締緩手段）
３３    留具（締緩手段）
３４    リング（締緩手段）
３５    受止具（締緩手段）
３６    固定ボルト（締緩手段）
５２    貫通穴
６１    中央分割線
６２    左分割線
６３    右分割線
【図１】
0004470129.tif 000002
【図２】
0004470129.tif 000003
【図３】
0004470129.tif 000004
【図４】
0004470129.tif 000005
【図５】
0004470129.tif 000006
【図６】
0004470129.tif 000007
【図７】
0004470129.tif 000008
【図８】
0004470129.tif 000009
【図９】
0004470129.tif 000010